(57)【要約】【課題】軸流ファンのハウジングの外側面上に設けられる案内部から中心軸に略平行に案内される複数のリード線が外れることを防止する。【解決手段】直列式軸流ファン１の第１軸流ファン２には、第１ハウジング２３の全長に亘って案内部５が設けられ、案内部５は中心軸Ｊ１に平行に伸びる案内溝５１並びに案内溝５１を横断するようにして案内溝５１の一部をほぼ覆う第１突出部５２１および第２突出部５２２を備える。第１および第２突出部５２１，５２２の間に中心軸Ｊ１に平行な方向に対して傾斜する直線状の間隙が形成され、リード線は当該間隙を介して案内溝５１に配置される。第１突出部５２１の第１先端位置は第２突出部５２２の第２先端位置よりも案内溝５１の第２突出部５２２側の側部に近くされ、これにより、リード線が案内部５から外れることが防止される。【選択図】図１
2010019183.tif 000002
【特許請求の範囲】
【請求項１】
軸流ファンであって、
複数の翼を有するインペラと、
中心軸を中心として前記インペラを回転させることによりエアの流れを発生するモータ部と、
前記インペラの外周を囲み、前記モータ部に接続される複数のリード線を外側面上にて前記中心軸に略平行に案内する案内部を有するハウジングと、
を備え、
前記案内部が、
前記複数のリード線が配置される案内溝と、
前記案内溝の両側部の一方から他方に向かって突出する第１突出部、および、前記両側部の前記他方から前記一方に向かって突出する第２突出部と、
を備え、
前記第１突出部および前記第２突出部により、前記案内溝の少なくとも一部が、前記複数のリード線と共に前記両側部の前記一方から前記他方までほぼ覆われ、
前記第１突出部と前記第２突出部との間に、前記第１突出部および前記第２突出部により前記案内溝が覆われる領域を前記案内溝に沿って縦断する間隙が形成され、
前記第１突出部の先端の位置である第１先端位置が前記第２突出部の先端の位置である第２先端位置よりも前記両側部の前記他方に近い、もしくは、前記第１先端位置および前記第２先端位置が前記両側部の前記他方から同じ距離にあり、
または、前記第１先端位置が前記第２先端位置よりも前記両側部の前記一方に近く、前記中心軸に平行な方向において前記第１先端位置と前記第２先端位置とが異なった位置であり、かつ、前記中心軸に平行な方向に前記案内部を見た場合の前記第１先端位置と前記第２先端位置との間の距離が前記複数のリード線の最小直径未満であることを特徴とする軸流ファン。
【請求項２】
請求項１に記載の軸流ファンであって、
前記間隙の最小幅が前記複数のリード線の最大直径の８０％以上１００％未満であることを特徴とする軸流ファン。
【請求項３】
請求項１または２に記載の軸流ファンであって、
前記ハウジングの外形が略四角柱状であり、
前記案内部が前記ハウジングの角部に設けられることを特徴とする軸流ファン。
【請求項４】
請求項１ないし３のいずれかに記載の軸流ファンであって、
前記第１突出部および前記第２突出部のそれぞれが他方の突出部に向かって突出し、
前記第１突出部と前記第２突出部との間の前記間隙が前記中心軸に平行な方向に対して傾斜する直線状であることを特徴とする軸流ファン。
【請求項５】
請求項４に記載の軸流ファンであって、
前記第１先端位置が前記第２先端位置よりも前記両側部の前記他方に近いことを特徴とする軸流ファン。
【請求項６】
請求項１ないし３のいずれかに記載の軸流ファンであって、
前記間隙が、前記中心軸に平行な方向に対してほぼ垂直に伸びる部位を有することを特徴とする軸流ファン。
【請求項７】
請求項６に記載の軸流ファンであって、
前記第１突出部と前記第２突出部とが前記中心軸に平行な方向に配列され、前記間隙が、前記両側部の前記他方と前記第１突出部の前記先端との間の部位、前記第１突出部と前記第２突出部との間の部位、および、前記両側部の前記一方と前記第２突出部の前記先端との間の部位を有することを特徴とする軸流ファン。
【請求項８】
請求項１ないし７のいずれかに記載の軸流ファンであって、
前記案内溝、前記第１突出部および前記第２突出部が、前記複数のリード線が前記ハウジングの前記外側面から前記ハウジングの外部へと引き出される前記ハウジングの端部に設けられることを特徴とする軸流ファン。
【請求項９】
直列式軸流ファンであって、
請求項１ないし７のいずれかに記載の軸流ファンと、
前記中心軸に沿って前記軸流ファンに接続される他の軸流ファンと、
を備え、
前記他の軸流ファンの複数のリード線が、前記軸流ファンの前記複数のリード線と共に前記案内部により前記軸流ファンの前記外側面上にて案内されることを特徴とする直列式軸流ファン。
【請求項１０】
直列式軸流ファンであって、
請求項８に記載の軸流ファンと、
前記中心軸に沿って前記軸流ファンに接続される他の軸流ファンと、
を備え、
前記軸流ファンの前記ハウジングの前記他の軸流ファンに対向する端部と前記他の軸流ファンのハウジングの前記軸流ファンに対向する端部との境界近傍に、前記軸流ファンの前記複数のリード線および前記他の軸流ファンの複数のリード線を前記軸流ファンおよび前記他の軸流ファンの内側から前記ハウジングの前記外側面上に導き出すリード線導出口が設けられ、
前記他の軸流ファンの前記複数のリード線が、前記軸流ファンの前記複数のリード線と共に前記案内部にて案内されることを特徴とする直列式軸流ファン。
【発明の詳細な説明】
【技術分野】
【０００１】
本発明は、複数のリード線を有する軸流ファンおよび複数の軸流ファンを接続した直列式軸流ファンに関する。
【背景技術】
【０００２】
従来より、様々な電子機器の筐体内部に電子部品を冷却するための冷却ファンが設けられており、電子部品の高性能化に伴う発熱量の増加や、筐体の小型化等に起因する配置密度の上昇に伴って冷却ファンの静圧−風量特性の向上が要求されている。十分な静圧および風量を確保する冷却ファンとして、近年では、複数のファンを直列に接続した直列式軸流ファンが利用され、直列式軸流ファンでは各ファンから複数のリード線が引き出されて外部電源に接続される。
【０００３】
特許文献１の二重反転式軸流送風機では、給電用配線が第１単体軸流送風機の吐き出し側の端部と第２単体軸流送風機の吸い込み側の端部との間にて二重反転式軸流送風機内から導き出される。さらに、給電用配線は第１単体軸流送風機のケースの外側面上を通って第１単体軸流送風機の吸い込み側の端部へと案内され、二重反転式軸流送風機の外部へと引き出される。第１単体軸流送風機のケースの吸い込み側の端部および吐き出し側の端部にはケースの外側面上における形状が中心軸に平行な直線状の間隙が設けられ、給電用配線が外部へと引き出される際に、給電用配線が当該間隙を介してケースの外側面上に固定される。
【０００４】
特許文献２に開示されるファンフレームはファンのハウジングである外フレーム、ベースおよび外フレームとベースとを接続するリブを有し、リブにはリブの伸びる方向に沿って複数の電源供給線が配置される溝状のガイドスロットが設けられる。外フレームには、ガイドスロットに連通するとともに電源供給線が通されるアレンジスロットが設けられ、アレンジスロットの外フレームの側面上における形状は中心軸に平行な直線状とされる。アレンジスロットはガイドスロットから周方向にずれて位置し、電源供給線に外力が働く場合であっても、電源供給線がアレンジスロットから外れてしまうことが防止される。
【特許文献１】特開２００４−２７８３７０号公報
【特許文献２】実用新案登録第３１２８３５２号公報
【発明の開示】
【発明が解決しようとする課題】
【０００５】
ところで、特許文献１に示される単体軸流送風機では、ケースに設けられる間隙の外側面上における形状が中心軸に平行な直線状とされるため、ケースの外側面上にて中心軸に平行に案内される給電用配線が当該間隙を介して外側面から容易に外れてしまう。同様に、特許文献２に示されるファンフレームにおいても、アレンジスロットの外フレームの側面上における形状が中心軸に平行な直線状であるため、電源供給線が容易にアレンジスロットから外れてしまう。軸流ファンでは、リード線がハウジングから外れることにより、軸流ファンが搭載される装置内にてリード線が他の機器に絡み、その結果、回路基板からリード線が分離されたり、リード線が切断されるおそれがある。
【０００６】
本発明は、上記課題に鑑みなされたものであり、軸流ファンのハウジングの外側面上にて中心軸に略平行に案内される複数のリード線がハウジングの案内部から外れてしまうことを防止することを目的としている。
【課題を解決するための手段】
【０００７】
請求項１に記載の発明は、軸流ファンであって、複数の翼を有するインペラと、中心軸を中心として前記インペラを回転させることによりエアの流れを発生するモータ部と、前記インペラの外周を囲み、前記モータ部に接続される複数のリード線を外側面上にて前記中心軸に略平行に案内する案内部を有するハウジングとを備え、前記案内部が、前記複数のリード線が配置される案内溝と、前記案内溝の両側部の一方から他方に向かって突出する第１突出部、および、前記両側部の前記他方から前記一方に向かって突出する第２突出部とを備え、前記第１突出部および前記第２突出部により、前記案内溝の少なくとも一部が、前記複数のリード線と共に前記両側部の前記一方から前記他方までほぼ覆われ、前記第１突出部と前記第２突出部との間に、前記第１突出部および前記第２突出部により前記案内溝が覆われる領域を前記案内溝に沿って縦断する間隙が形成され、前記第１突出部の先端の位置である第１先端位置が前記第２突出部の先端の位置である第２先端位置よりも前記両側部の前記他方に近い、もしくは、前記第１先端位置および前記第２先端位置が前記両側部の前記他方から同じ距離にあり、または、前記第１先端位置が前記第２先端位置よりも前記両側部の前記一方に近く、前記中心軸に平行な方向において前記第１先端位置と前記第２先端位置とが異なった位置であり、かつ、前記中心軸に平行な方向に前記案内部を見た場合の前記第１先端位置と前記第２先端位置との間の距離が前記複数のリード線の最小直径未満である。
【０００８】
請求項２に記載の発明は、請求項１に記載の軸流ファンであって、前記間隙の最小幅が前記複数のリード線の最大直径の８０％以上１００％未満である。
【０００９】
請求項３に記載の発明は、請求項１または２に記載の軸流ファンであって、前記ハウジングの外形が略四角柱状であり、前記案内部が前記ハウジングの角部に設けられる。
【００１０】
請求項４に記載の発明は、請求項１ないし３のいずれかに記載の軸流ファンであって、前記第１突出部および前記第２突出部のそれぞれが他方の突出部に向かって突出し、前記第１突出部と前記第２突出部との間の前記間隙が前記中心軸に平行な方向に対して傾斜する直線状である。
【００１１】
請求項５に記載の発明は、請求項４に記載の軸流ファンであって、前記第１先端位置が前記第２先端位置よりも前記両側部の前記他方に近い。
【００１２】
請求項６に記載の発明は、請求項１ないし３のいずれかに記載の軸流ファンであって、前記間隙が、前記中心軸に平行な方向に対してほぼ垂直に伸びる部位を有する。
【００１３】
請求項７に記載の発明は、請求項６に記載の軸流ファンであって、前記第１突出部と前記第２突出部とが前記中心軸に平行な方向に配列され、前記間隙が、前記両側部の前記他方と前記第１突出部の前記先端との間の部位、前記第１突出部と前記第２突出部との間の部位、および、前記両側部の前記一方と前記第２突出部の前記先端との間の部位を有する。
【００１４】
請求項８に記載の発明は、請求項１ないし７のいずれかに記載の軸流ファンであって、前記案内溝、前記第１突出部および前記第２突出部が、前記複数のリード線が前記ハウジングの前記外側面から前記ハウジングの外部へと引き出される前記ハウジングの端部に設けられる。
【００１５】
請求項９に記載の発明は、直列式軸流ファンであって、請求項１ないし７のいずれかに記載の軸流ファンと、前記中心軸に沿って前記軸流ファンに接続される他の軸流ファンとを備え、前記他の軸流ファンの複数のリード線が、前記軸流ファンの前記複数のリード線と共に前記案内部により前記軸流ファンの前記外側面上にて案内される。
【００１６】
請求項１０に記載の発明は、直列式軸流ファンであって、請求項８に記載の軸流ファンと、前記中心軸に沿って前記軸流ファンに接続される他の軸流ファンとを備え、前記軸流ファンの前記ハウジングの前記他の軸流ファンに対向する端部と前記他の軸流ファンのハウジングの前記軸流ファンに対向する端部との境界近傍に、前記軸流ファンの前記複数のリード線および前記他の軸流ファンの複数のリード線を前記軸流ファンおよび前記他の軸流ファンの内側から前記ハウジングの前記外側面上に導き出すリード線導出口が設けられ、前記他の軸流ファンの前記複数のリード線が、前記軸流ファンの前記複数のリード線と共に前記案内部にて案内される。
【発明の効果】
【００１７】
本発明によれば、複数のリード線が案内部から外れてしまうことが防止される。請求項２の発明では、リード線が過度に圧迫されることなく間隙を介して案内溝に配置されるとともに、間隙を介してリード線がハウジングから外れることが確実に防止される。また、請求項４の発明では、リード線取付時にリード線を案内溝に容易に配置することができる。
【００１８】
請求項５ないし７の発明では、リード線が案内部から外れてしまうことがより確実に防止され、請求項８の発明では、第１突出部および第２突出部が、リード線が外部へと引き出されるハウジングの引出側の端部に設けられることにより、リード線がより安定して固定される。
【発明を実施するための最良の形態】
【００１９】
図１は本発明の第１の実施の形態に係る直列式軸流ファン１を示す斜視図であり、直列式軸流ファン１はサーバ等の電子機器を空冷するための冷却ファンとして用いられる。直列式軸流ファン１は、図１において上側に配置される第１軸流ファン２および第１軸流ファン２の中心軸Ｊ１に沿って第１軸流ファン２の下側に接続される第２軸流ファン３を備え、中心軸Ｊ１は第２軸流ファン３の中心軸に一致している。
【００２０】
直列式軸流ファン１はいわゆる二重反転式軸流ファンであり、図１中の上側（すなわち、第１軸流ファン２の上側）からエアが取り込まれ、下側（すなわち、第２軸流ファン３の下側）へと送出されるように中心軸Ｊ１方向のエアの流れが発生する。以下の説明では、中心軸Ｊ１方向において、エアが取り込まれる側である図１中の上側を「吸気側」または単に「上側」と呼び、エアが送出される側である図１中の下側を「排気側」または単に「下側」と呼ぶ。「上側」および「下側」という表現は必ずしも重力方向に対する上側および下側と一致する必要はない。
【００２１】
第１軸流ファン２は第１軸流ファン２内の第１モータ部に接続されて電力の供給や制御信号の送信に利用される２つの第１リード線４１を有し、同様に、第２軸流ファン３は第２軸流ファン３内の第２モータ部に接続される２つの第２リード線４２を有する。第１リード線４１および第２リード線４２は第１軸流ファン２の第１ハウジング２３の下端から導き出されて第１ハウジング２３の外側面２３４上に設けられる案内部５（詳細については後述する。）により中心軸Ｊ１に略平行に案内され、直列式軸流ファン１から引き出される。また、第１リード線４１および第２リード線４２は第１ハウジング２３の上方で結束部材９により束ねられて外部電源（図示省略）に接続される。以下の説明では、適宜、２つの第１リード線４１および２つの第２リード線４２をまとめて「リード線群４」と呼び、第１リード線４１と第２リード線４２とを区別しない１つのリード線を単に「リード線」と呼ぶ。
【００２２】
図２は直列式軸流ファン１を中心軸Ｊ１を含む平面で切断した縦断面図である。第１軸流ファン２は第１インペラ２１、中心軸Ｊ１を中心として第１インペラ２１を回転させる第１モータ部２２、第１インペラ２１の外周を囲む第１ハウジング２３、および、第１モータ部２２を支持する複数の第１支持リブ２４を備え、第１ハウジング２３は第１支持リブ２４により第１モータ部２２に接続される。第１ハウジング２３は第１支持リブ２４と共に樹脂の射出成形により形成される。なお、図２では、図示の都合上、第１インペラ２１の第１翼２１１および第１支持リブ２４の概略形状を中心軸Ｊ１の左右に示している。また、第１モータ部２２は誇張して大きく示しており、各構成要素の断面に対する平行斜線の図示を省略している。第２軸流ファン３に関しても同様の手法にて図示している。
【００２３】
第１インペラ２１は、第１モータ部２２の外側を覆う有蓋略円筒状のカップ２１２、および、カップ２１２の外側面から径方向外方に向けて伸び、周方向に等ピッチにて配置された複数の第１翼２１１を有する。第１モータ部２２は、回転体である第１ロータ部２２１および固定体である第１ステータ部２２２を備え、中心軸Ｊ１に沿って第１ロータ部２２１が第１ステータ部２２２に対して上側に位置する。
【００２４】
第１ロータ部２２１は、中心軸Ｊ１を中心とする有蓋略円筒状の金属製のヨーク２２１１、ヨーク２２１１の内側に固定される略円筒状の界磁用磁石２２１２、および、ヨーク２２１１の上部中央から下方に突出するシャフト２２１３を備える。第１ロータ部２２１は、ヨーク２２１１がカップ２１２に覆われることにより第１インペラ２１と一体の部品となっている。
【００２５】
第１ステータ部２２２は中央に開口を有するベース部２２２１、ベース部２２２１の中央から上側に突出する略円筒状の軸受保持部２２２２、軸受保持部２２２２の外周に取り付けられた電機子２２２３、および、電機子２２２３の下側にて電機子２２２３に電気的に接続される回路基板２２２４を備える。ベース部２２２１は第１支持リブ２４を介して第１ハウジング２３の略円筒状の内側面に固定され、第１ステータ部２２２の各部を保持する。電機子２２２３は界磁用磁石２２１２と中心軸Ｊ１を中心とする径方向に対向し、電機子２２２３と界磁用磁石２２１２との間で中心軸Ｊ１を中心とするトルクを発生する。軸受保持部２２２２の内側には軸受機構である玉軸受２２２５，２２２６が中心軸Ｊ１方向の上部および下部に設けられ、軸受保持部２２２２に挿入されたシャフト２２１３が玉軸受２２２５，２２２６により回転可能に支持される。
【００２６】
第２軸流ファン３は、第１軸流ファン２を上下に反転した形状とほぼ同形状であり、中心軸Ｊ１に沿って第１インペラ２１に隣接する第２インペラ３１、中心軸Ｊ１を中心として第２インペラ３１を回転させる第２モータ部３２、第２インペラ３１の外周を囲む第２ハウジング３３、および、第２モータ部３２を支持する複数の第２支持リブ３４を備える。第２ハウジング３３は第２支持リブ３４により第２モータ部３２に接続され、第２支持リブ３４と共に樹脂の射出成形により形成される。また、第２ハウジング３３は中心軸Ｊ１に沿って第１ハウジング２３に接続される。第２インペラ３１は、有底略円筒状のカップ３１２および中心軸Ｊ１を中心としてカップ３１２の外側面から径方向外方に向けて伸び、周方向に等ピッチにて配置された複数の第２翼３１１を有する。
【００２７】
第２モータ部３２は第１モータ部２２とほぼ同様の構造を有し、回転体である第２ロータ部３２１および固定体である第２ステータ部３２２を備え、第２モータ部３２では第２ステータ部３２２が第２ロータ部３２１の上側に位置する。第２ロータ部３２１は、中心軸Ｊ１を中心とする有底略円筒状のヨーク３２１１、ヨーク３２１１の内側に固定される略円筒状の界磁用磁石３２１２、および、ヨーク３２１１の中央から上方に突出するシャフト３２１３を備える。
【００２８】
第２ステータ部３２２はベース部３２２１、ベース部３２２１の中央から下側に突出する軸受保持部３２２２、軸受保持部３２２２内の上下に保持される玉軸受３２２５，３２２６、軸受保持部３２２２の外周に取り付けられる電機子３２２３、および、電機子３２２３の上側に配置される回路基板３２２４を備える。電機子３２２３および界磁用磁石３２１２は中心軸Ｊ１を中心とする径方向に対向してトルクを発生する。
【００２９】
直列式軸流ファン１では、第１軸流ファン２の第１モータ部２２が第１インペラ２１を回転して中心軸Ｊ１方向のエアの流れを発生するとともに、第２軸流ファン３の第２モータ部３２が第２インペラ３１を第１インペラ２１の回転とは逆方向に回転して第１インペラ２１によるエアの流れと同方向の流れを発生する。これにより、十分な風量が確保されつつ静圧が向上される。
【００３０】
図３は第１軸流ファン２を排気側から見た底面図であり、第１インペラ２１を省略している。図３に示すように、第１ハウジング２３の第２軸流ファン３に対向する下端部２３２は略正方形であり、図１に示すように、第１ハウジング２３の上端部２３１も略正方形であり、両端部２３１，２３２の輪郭を結んだ第１ハウジング２３の外形は略四角柱状となっている。図３に示すように、下端部２３２の４つの角部２３３のうち図３における右上に位置する一の角部（図１における右手前側の角部であり、符号２３３ａを付している。）には、上方に向かって窪む切欠状の第１凹部２３３１が設けられる。第１支持リブ２４により支持されるベース部２２２１は切欠２２２１ａを有し、回路基板２２１４に接続される第１リード線４１が切欠２２２１ａを介して第１凹部２３３１に向かって引き出される。
【００３１】
図４は第２軸流ファン３を吸気側から見た平面図であり、第２インペラ３１を省略している。図３に示す第１ハウジング２３と同様に、第２ハウジング３３の第１軸流ファン２に対向する上端部３３１は略正方形であり、図１に示すように下端部３３２も略正方形であり、両端部３３１，３３２の輪郭を結んだ第２ハウジング３３の外形は略四角柱状となっている。図４に示すように、上端部３３１の４つの角部３３３のうち図４における右下に位置する一の角部（図１における右手前側の角部であり、符号３３３ａを付す。）には下方に向かって窪む切欠状の第２凹部３３３１が設けられる。第２支持リブ３４により支持されるベース部３２２１は切欠３２２１ａを有し、回路基板３２１４に接続される第２リード線４２が切欠３２２１ａを介して第２凹部３３３１に向かって引き出される。
【００３２】
図５は第１軸流ファン２の斜視図である。第１ハウジング２３の両端部２３１，２３２の間の外側面２３４では、下端部２３２の４つの角部２３３，２３３ａの上方に位置する領域（以下、「角部外側面２３４１」という。）がそれぞれ中心軸Ｊ１を中心とする円筒面の一部とされ、互いに隣り合う２つの角部外側面２３４１の間の領域（以下、「中央外側面２３４２」という。）が中心軸Ｊ１に平行な平面とされる。第１ハウジング２３の既述の案内部５は下端部２３２の図５における右手前側の角部２３３ａ、右手前側の角部外側面２３４１および角部２３３ａに対応する上端部２３１の角部に沿って設けられる。すなわち、案内部５は第１ハウジング２３の両端部２３１，２３２の輪郭を結んで形成される略四角柱状の外形の一の角部にて第１ハウジング２３の全長に亘って設けられる。
【００３３】
案内部５は第１ハウジング２３の全長に亘って中心軸Ｊ１に平行に伸びる案内溝５１、上端部２３１にて案内溝５１上に位置する第１突出部５２１および第２突出部５２２、並びに、下端部２３２にて案内溝５１上に位置してリード線群４の係止に利用される板状の突出部５３（以下、「下側突出部５３」という。）を備える。以下の説明では、案内溝５１の図５における手前側の中央外側面２３４２との境界に位置する中心軸Ｊ１に平行なエッジ部を「第１側部５１１」と呼び、第１側部５１１とは反対側の中心軸Ｊ１に平行に伸びるエッジ部を「第２側部５１２」と呼ぶ。下側突出部５３は第１側部５１１から案内溝５１をおよそ横切るように伸びており、下側突出部５３と第２側部５１２との間には僅かな隙間が設けられる。
【００３４】
図６は案内部５の第１突出部５２１および第２突出部５２２を拡大して示す図であり、リード線群４も示している。図６に示すように、第１突出部５２１は第２突出部５２２に向かって突出するとともに、第２突出部５２２は第１突出部５２１に向かって突出する。すなわち、第１突出部５２１および第２突出部５２２のそれぞれは、他方の突出部に向かって突出する。案内部５では、第１突出部５２１および第２突出部５２２が案内溝５１の伸びる方向に平行な板状とされ、第１ハウジング２３（図５参照）の外形に沿って隣接する。また、第１突出部５２１および第２突出部５２２により案内溝５１を横断するようにして案内溝５１の伸びる方向における案内溝５１の一部がほぼ覆われる。
【００３５】
第１突出部５２１の第２突出部５２２側のエッジおよび第２突出部５２２の第１突出部５２１側のエッジはそれぞれ下方に向かって案内溝５１の第１側部５１１に近づくように傾斜しており、２つのエッジは互いに平行とされる。さらに、第１突出部５２１の第２突出部５２２側の先端５２１１の位置（以下、「第１先端位置」という。）は、第２突出部５２２の第１突出部５２１側の先端５２２１の位置（以下、「第２先端位置」という。）よりも第２側部５１２に近くされる。
【００３６】
第１突出部５２１と第２突出部５２２との間に形成される間隙５４１は中心軸Ｊ１（図５参照）に平行な方向に対して傾斜する直線状となっており、間隙５４１の幅Ｈ１、すなわち、第１突出部５２１の第２突出部５２２側のエッジと第２突出部５２２の第１突出部５２１側のエッジとの間の最短距離はリード線群４のうちの１つのリード線の直径Ｄよりも僅かに小さくされる。具体的には幅Ｈ１はリード線の直径Ｄの８０％以上１００％未満とされる。なお、リード線の直径が異なる場合には、幅Ｈ１はリード線群４の最大直径の８０％以上１００％未満とされる。
【００３７】
図１に示すように、直列式軸流ファン１では、第１ハウジング２３の下端部２３２にて上方に向かって窪む第１凹部２３３１（図３参照）および第２ハウジング３３の上端部３３１にて下方に向かって窪む第２凹部３３３１（図４参照）により第１ハウジング２３の下端部２３２と第２ハウジング３３の上端部３３１との境界近傍（境界を含んでもよい。）にリード線導出口５５が形成され、リード線導出口５５によりリード線群４が第１軸流ファン２および第２軸流ファン３の内側から第１ハウジング２３の外側面２３４上に導き出される。さらに、リード線群４は第１ハウジング２３の外側面２３４上を案内部５の下側突出部５３と案内溝５１との間、並びに、第１突出部５２１および第２突出部５２２と案内溝５１との間を介して中心軸Ｊ１に略平行に案内され、第１ハウジング２３の外部へと引き出される。
【００３８】
案内部５では、リード線群４が第１ハウジング２３の下端部２３２近傍において下側突出部５３により係止されるとともに、上端部２３１において第１突出部５２１および第２突出部５２２により係止されることにより、リード線群４が第１ハウジング２３の外側面２３４上に固定される。既述のように、図６に示す第１突出部５２１の第１先端位置が第２突出部５２２の第２先端位置よりも第２側部５１２側に位置することから、中心軸Ｊ１に略平行に案内されるリード線群４が間隙５４１を介して第１ハウジング２３から外れることが防止される。このように、案内部５が設けられることにより、多数のリード線が案内される直列式軸流ファン１であってもリード線が安定して案内される。
【００３９】
リード線群４が第１ハウジング２３の案内部５に固定される際には、まず、組み立て前の第１ハウジング２３および第２ハウジング３３のそれぞれにおいて、図３に示すように、第１リード線４１が第１凹部２３３１を介して第１ハウジング２３の内側から引き出され、図４に示すように、第２リード線４２が第２凹部３３３１を介して第２ハウジング３３の内側から引き出される。
【００４０】
次に、図７に示すように、第１ハウジング２３の下端部２３２と第２ハウジング３３の上端部３３１とが互いに重ね合わされる。これにより、第１ハウジング２３と第２ハウジング３３との間にリード線導出口５５が形成され、リード線導出口５５におけるリード線群４の位置が固定される。その結果、第１ハウジング２３および第２ハウジング３３の内側におけるリード線群４の移動が制限される。
【００４１】
そして、第１ハウジング２３の下端部２３２において、リード線群４が下側突出部５３と第２側部５１２との間の隙間を介して下側突出部５３と案内溝５１との間に配置される。さらに、上端部２３１において、リード線群４のリード線が、導線を被覆する樹脂製の被覆部を弾性変形させつつ１つずつ間隙５４１を通されて第１突出部５２１および第２突出部５２２と案内溝５１との間に配置される。既述のように、間隙５４１の幅Ｈ１（図６参照）はリード線の直径Ｄの８０％以上１００％未満の範囲に設定されるため、間隙５４１においてリード線が過度に圧迫されることが防止される。以上の作業により、図１に示すように、リード線群４が第１ハウジング２３の外側面２３４上に固定される。その後、第１ハウジング２３の上方にて結束部材９により第１リード線４１および第２リード線４２が１つに束ねられる。
【００４２】
以上、第１の実施の形態に係る直列式軸流ファン１の構造およびリード線群４の固定作業について説明したが、直列式軸流ファン１では、第１突出部５２１の第１先端位置が第２突出部５２２の第２先端位置よりも第２側部５１２に近いため、中心軸Ｊ１に略平行な方向に案内されるリード線群４が案内部５から外れてしまうことが防止される。さらに、リード線群４に案内溝５１から離れる方向に力が働く場合であっても、間隙５４１の幅Ｈ１がリード線の直径Ｄよりも僅かに小さくされることにより、リード線群４が間隙５４１を介して第１ハウジング２３から外れることがより確実に防止される。
【００４３】
また、第１突出部５２１および第２突出部５２２（並びに案内溝５１の一部）が第１ハウジング２３の上端部２３１、すなわち、リード線群４を第１ハウジング２３の外側面２３４から第１ハウジング２３の外部へと引き出す引出側の端部に設けられることにより、リード線群４が安定して固定される。案内部５の間隙５４１は直線状に傾斜することから、リード線取付時にリード線を間隙５４１に通す作業が容易に行われ、リード線群４が案内溝５１に容易に配置される。
【００４４】
図８は第１突出部５２１および第２突出部５２２の他の例を示す図であり、図６に対応する。案内部５の第１突出部５２１および第２突出部５２２のそれぞれは、図６に示す第１突出部５２１および第２突出部５２２と同様に、案内溝５１の伸びる方向に平行な板状であり、他方の突出部に向かって突出する。また、第１突出部５２１と第２突出部５２２との間に形成される間隙５４１は中心軸Ｊ１（図１参照）に平行な方向に対して傾斜する直線状とされ、間隙５４１が傾斜することにより第１突出部５２１の先端５２１１の第１先端位置と第２突出部５２２の先端５２２１の第２先端位置とが中心軸Ｊ１に平行な方向において異なった位置となっている。
【００４５】
案内部５では、第１突出部５２１の先端５２１１の第１先端位置が第２突出部５２２の先端５２２１の第２先端位置よりも案内溝５１の第１側部５１１に近くされる。すなわち、第１突出部５２１および第２突出部５２２が互いに中心軸Ｊ１に平行な方向において重ならないように設けられる。
【００４６】
間隙５４１の幅Ｈ１はリード線群４のうちの１つのリード線の直径Ｄの８０％以上１００％未満とされる。したがって、中心軸Ｊ１に平行な方向に案内部５を見た場合の第１突出部５２１の第１先端位置と第２突出部５２２の第２先端位置との間の距離Ｈ２、すなわち、第１突出部５２１の先端５２１１と第２突出部５２２の先端５２２１との間の中心軸Ｊ１に垂直な方向における距離はリード線の直径Ｄよりも小さくなっている。なお、リード線の直径が異なる場合は、間隙５４１の幅Ｈ１はリード線群４の最大直径の８０％以上１００％未満とされる。
【００４７】
案内部５では、間隙５４１の幅Ｈ１がリード線の直径Ｄよりも僅かに小さくされるため、間隙５４１からリード線群４が外れることが防止される。なお、間隙５４１の幅Ｈ１がリード線の直径Ｄの大きさ以上とされる場合であっても、距離Ｈ２がリード線の直径Ｄよりも小さくされるのであれば、中心軸Ｊ１に略平行な方向に案内されるリード線群４が案内部５から外れることが防止される。また、リード線の直径が異なる場合には距離Ｈ２はリード線群４の最小直径未満とされる。
【００４８】
図９は第１突出部５２１および第２突出部５２２のさらに他の例を示す図である。図９に示す第１突出部５２１および第２突出部５２２の形状は図６に示す第１突出部５２１および第２突出部５２２とほぼ同様であり、第１突出部５２１の先端５２１１の第１先端位置が第２突出部５２２の先端５２２１の第２先端位置よりも案内溝５１の第２側部５１２に近くされる。
【００４９】
また、図９に示す第１突出部５２１および第２突出部５２２は図６に示す第１突出部５２１および第２突出部５２２よりも互いに離れて位置しており、第１突出部５２１と第２突出部５２２との間に形成される間隙５４１の幅Ｈ１はリード線群４のうちの１つのリード線の直径Ｄよりも大きくされる。これにより、リード線群４を案内部５に固定する際にリード線を間隙５４１に容易に通すことができ、リード線が傷付くことが防止される。なお、リード線の直径が異なる場合には間隙５４１の幅Ｈ１はリード線群４の最大直径よりも大きくされる。
【００５０】
案内部５では、第１突出部５２１の先端５２１１の第１先端位置が第２突出部５２２の先端５２２１の第２先端位置よりも案内溝５１の第２側部５１２に近くされるため、リード線群４が案内部５から外れることが防止される。
【００５１】
図１０は第２の実施の形態に係る直列式軸流ファンの案内部５の一部を拡大して示す図であり、図６に対応する。なお、リード線群４の図示を省略している。案内部５は、図６に示す第１突出部５２１および第２突出部５２２とは異なる形状の第１突出部５２１ａおよび第２突出部５２２ａを有し、第１突出部５２１ａと第２突出部５２２ａとは中心軸Ｊ１（図１参照）に平行な方向に僅かに離間して配列される。案内部５の他の構造は図５に示す案内部５と同様であり、第２の実施の形態に係る直列式軸流ファンの他の構造も直列式軸流ファン１と同様である。以下、同様の構成には同符号を付して説明する。
【００５２】
案内部５では、第１突出部５２１ａが案内溝５１の第１側部５１１から第２側部５１２に向かって突出するとともに第２突出部５２２ａが第２側部５１２から第１側部５１１に向かって突出し、第１突出部５２１ａの第２側部５１２側のエッジおよび第２突出部５２２ａの第１側部５１１側のエッジはそれぞれ中心軸Ｊ１に平行とされる。以下、第１突出部５２１ａの第２側部５１２側のエッジを第１突出部５２１ａの「先端５２１１ａ」と呼び、第２突出部５２２ａの第１側部５１１側のエッジを第２突出部５２２ａの「先端５２２１ａ」と呼ぶ。
【００５３】
案内部５では、第１突出部５２１ａの先端５２１１ａの位置である第１先端位置が、第２突出部５２２の先端５２２１ａの位置である第２先端位置よりも中心軸Ｊ１に垂直な方向において第２側部５１２に近くされる。第１突出部５２１ａおよび第２突出部５２２ａの周囲では、第２突出部５２２ａの下端から第１突出部５２１ａの上端まで案内溝５１に沿って伸びる間隙５４１ａが形成される。間隙５４１ａは第１突出部５２１ａと第２突出部５２２ａとの間に中心軸Ｊ１に平行な方向に対してほぼ垂直に伸びる部位５４１１、並びに、部位５４１１の一端から第２側部５１２と第１突出部５２１ａの先端５２１１ａとの間にて中心軸Ｊ１に平行な方向に伸びる部位５４１２、および、部位５４１１の他端から第１側部５１１と第２突出部５２２ａの先端５２２１ａとの間にて中心軸Ｊ１に平行な方向に伸びる部位５４１３を有する。
【００５４】
間隙５４１ａでは、中心軸Ｊ１に平行な方向（図１０における上下方向）における部位５４１１の幅Ｈ３（すなわち、第１突出部５２１ａと第２突出部５２２ａとの間の最短距離）が、中心軸Ｊ１に垂直な方向（図１０における左右方向）における部位５４１２，５４１３の幅Ｈ４，Ｈ５よりも小さくされ、さらに、部位５４１１の幅Ｈ３はリード線群４のうちの１つのリード線の直径（図６参照）よりも大きくされる。すなわち、間隙５４１ａの最小幅はリード線の直径よりも大きくされる。なお、リード線の直径が異なる場合には間隙５４１ａの最小幅はリード線群４の最大直径よりも僅かに大きくされる（後述の第３の実施の形態においても同様）。
【００５５】
直列式軸流ファンでは、図１と同様に、第１突出部５２１ａおよび第２突出部５２２ａと案内溝５１との間を介してリード線群４が中心軸Ｊ１に略平行に案内されるとともに、第１突出部５２１ａおよび第２突出部５２２ａがリード線群４を係止することによりリード線群４が第１ハウジング２３の外側面２３４（図５参照）上に固定される。
【００５６】
リード線群４が案内部５に固定される際には、図７に示すように、リード線導出口５５からリード線群４が導き出され、リード線群４が第１ハウジング２３の下端部２３２に設けられる下側突出部５３と案内溝５１との間に配置される。そして、リード線群４のリード線が１つずつ図１０に示す間隙５４１ａを通され、リード線群４が第１突出部５２１ａおよび第２突出部５２２ａと案内溝５１との間に配置される。
【００５７】
第２の実施の形態では、第１突出部５２１ａと第２突出部５２２ａとが中心軸Ｊ１に平行な方向に配置されるとともに第１突出部５２１ａの先端５２１１ａが第２突出部５２２ａの先端５２２１ａよりも第２側部５１２に近くされることにより、中心軸Ｊ１に平行な方向に対して垂直に伸びる部位５４１１を有する間隙５４１ａが形成されることから、中心軸Ｊ１に略平行に案内されるリード線群４が案内部５から外れてしまうことが確実に防止される。また、間隙５４１ａの最小幅（すなわち、幅Ｈ３）がリード線の直径よりも大きくされるため、リード線が間隙５４１ａに容易に通される。その結果、リード線群４が第１ハウジング２３の外側面２３４上に容易に固定される。
【００５８】
図１１は第３の実施の形態に係る直列式軸流ファンの案内部５の一部を拡大して示す図である。案内部５は、図６に示す第１突出部５２１および第２突出部５２２とは異なる形状の第１突出部５２１ｂおよび第２突出部５２２ｂを有し、第１突出部５２１ｂおよび第２突出部５２２ｂは互いに他方の突出部に向かって伸びる。案内部５の他の構造は図５に示す案内部５と同様である。以下、同様の構成には同符号を付して説明する。
【００５９】
第１突出部５２１ｂは、案内溝５１の第１側部５１１から第２側部５１２に向かって中心軸Ｊ１に平行な方向における幅が上側へと２段階減少する段差状となっており、同様に、第２突出部５２２ｂは、案内溝５１の第２側部５１２から第１側部５１１に向かって中心軸Ｊ１に平行な方向における幅が下側へと２段階減少する段差状となっている。以下、第１突出部５２１ｂの第２側部５１２側のエッジを第１突出部５２１ｂの「先端５２１１ｂ」といい、第２突出部５２２ｂの第１側部５１１側のエッジを第２突出部５２２ｂの「先端５２２１ｂ」という。
【００６０】
第１突出部５２１ｂの先端５２１１ｂの位置である第１先端位置は、第２突出部５２２ｂの先端５２２１ｂの位置である第２先端位置よりも第２側部５１２に近くされる。また、第１突出部５２１ｂと第２突出部５２２ｂとの間には、第１突出部５２１ｂおよび第２突出部５２２ｂの下端から上端まで伸びる間隙５４１ｂが形成され、間隙５４１ｂは第１突出部５２１ｂおよび第２突出部５２２ｂの下端から上端に至る途中にて図１１における右側へと２回向かう。すなわち、間隙５４１ｂは中心軸Ｊ１に平行に伸びる微小な３つの部位と当該３つの部位の間にて中心軸Ｊ１に平行な方向に伸びる微小な他の２つの部位により構成される。間隙５４１ｂの最小幅（５つの部位の幅のうちの最小のもの）はリード線群４のうちの１つのリード線の直径Ｄ（図６参照）よりも大きくされる。
【００６１】
第３の実施の形態においても、間隙５４１ｂの最小幅がリード線の直径Ｄよりも大きくされることにより、リード線群４が案内溝５１に固定される際にリード線が間隙５４１ｂに容易に通される。また、間隙５４１ｂが中心軸Ｊ１に平行な方向に対して垂直に伸びる部位を有するため、リード線群４が案内部５から外れることが確実に防止される。
【００６２】
図１２は第４の実施の形態に係る軸流ファン１ａを示す底面図であり、図１３は軸流ファン１ａの側面図である。図１２に示すように、軸流ファン１ａでは、ハウジング２３ａの下端部２３２の形状は略円形であり、同様に、図１３に示すハウジング２３ａの上端部２３１の形状も略円形であり、両端部２３１，２３２の輪郭を結んだハウジング２３ａの外形は略円柱状となっている。軸流ファン１ａのハウジング２３ａ以外の構造は図５に示す第１軸流ファン２とほぼ同様であり、以下の説明では、第１軸流ファン２と同様の構成に同符号を付す。
【００６３】
図１３に示すように、ハウジング２３ａの両端部２３１，２３２の間の部位は中心軸Ｊ１を中心とする略円筒状となっており（以下、当該部位を「円筒部」という。）、上端部２３１は円筒部に向かって（すなわち、下方に向かって）径が漸次減少する円錐台状とされ、下端部２３２は円筒部に向かって（すなわち、上方に向かって）径が漸次減少する円錐台状とされる。以下、円筒部並びに上端部２３１および下端部２３２の外側面をハウジング２３ａの「外側面２３４ａ」と呼ぶ。図１２および図１３に示すように、下端部２３２には中心軸Ｊ１を中心とする径方向に伸びるとともに下端から上方へと窪む凹部２３３２が形成され、図１２に示すように、凹部２３３２は図１２における右下の支持リブ２４の径方向外方に位置する。
【００６４】
図１４に示すように、ハウジング２３ａの上端部２３１の外縁部では、外側面２３４ａ（図１３参照）上においてリード線群４を中心軸Ｊ１に略平行に案内する案内部５ａが設けられ、案内部５ａは中心軸Ｊ１に平行に伸びるとともにリード線群４が配置される案内溝５１ａ、並びに、案内溝５１ａをほぼ覆う第１突出部５２１ｃおよび第２突出部５２２ｃを備える。なお、図１３に示すように、案内部５ａおよび凹部２３３２は中心軸Ｊ１に平行な方向に並ぶ。
【００６５】
図１４に示すように、第１突出部５２１ｃの第２突出部５２２ｃ側のエッジおよび第２突出部５２２ｃの第１突出部５２１ｃ側のエッジはそれぞれ、図６に示す第１ハウジング２３の第１突出部５２１および第２突出部５２２と同様に、互いに平行とされる。さらに、第１突出部５２１ｃの先端５２１１の位置である第１先端位置は第２突出部５２２ｃの先端５２２１の位置である第２先端位置よりも案内溝５１ａの２つの側部５１１，５１２のうち第２突出部５２２ｃ側の側部５１２に近くされる。
【００６６】
また、第１突出部５２１ｃと第２突出部５２２ｃとの間に形成される間隙５４１ｃは中心軸Ｊ１に平行な方向に対して傾斜する直線状とされ、間隙５４１の幅Ｈ６、すなわち、第１突出部５２１ｃの第２突出部５２２ｃ側のエッジと第２突出部５２２ｃの第１突出部５２１ｃ側のエッジとの間の最短距離はリード線の直径の８０％以上１００％未満とされる。なお、リード線の直径が異なる場合には、間隙５４１の幅Ｈ６はリード線群４の最大直径の８０％以上１００％未満とされる。
【００６７】
軸流ファン１ａでは、第１突出部５２１ｃおよび第２突出部５２２ｃがリード線群４を係止することにより、図１３に示すように、リード線群４がハウジング２３ａの外側面２３４ａ上に固定される。
【００６８】
リード線群４が案内部５ａに固定される際には、図１２に示すように、まず、リード線群４がベース部２２２１から図１２に示す右下の支持リブ２４に沿ってハウジング２３ａの下端部２３２の凹部２３３２へと導かれ、凹部２３３２を介してハウジング２３ａの内側から導き出される。そして、リード線群４のリード線が１つずつ図１４に示す間隙５４１ｃを通され、リード線群４が第１突出部５２１ｃおよび第２突出部５２２ｃと案内溝５１ａとの間に配置される。
【００６９】
第４の実施の形態においても、第１突出部５２１ｃの第１先端位置が第２突出部５２２ｃの第２先端位置よりも第２側部５１２側に位置するため、中心軸Ｊ１に略平行に案内されるリード線群４が案内部５ａから外れることが防止される。さらに、間隙５４１の幅Ｈ６がリード線の直径の８０％以上１００％未満とされることにより、リード線が案内部５ａから外れることが確実に防止されるとともにリード線が間隙５４１ｃを通される際にリード線が過度に圧迫されることも防止される。
【００７０】
以上、本発明の実施の形態について説明したが、本発明は上記実施の形態に限定されるものではなく、様々な変更が可能である。例えば、上記第１の実施の形態では、案内溝５１の第１側部５１１から第２側部５１２に向かって（すなわち、両側部の一方から他方に向かって）突出する第１突出部５２１の第１先端位置が、第２側部５１２から第１側部５１１に向かって（すなわち、両側部の他方から一方に向かって）突出する第２突出部５２２の第２先端位置と第２側部５１２から同じ距離とされてもよい。この場合であっても、リード線群４が間隙５４１を介して案内部５から外れることが防止される（第４の実施の形態においても同様）。
【００７１】
上記実施の形態にて説明した一組の第１突出部および第２突出部は下側突出部５３の位置に設けられてもよい。また、リード線群４が直列式軸流ファン１の排気側から引き出される場合には、案内部５の上下を反転した構造の案内部が第２ハウジング３３に設けられてよい。
【００７２】
上記第１ないし第３の実施の形態では案内部５が第１ハウジング２３の全長に亘って設けられるが、上記第４の実施の形態と同様に、案内部５が第１ハウジング２３の上端部２３１の一の角部のみに設けられてもよい。この場合、例えば、案内部５では案内溝５１が上端部２３１のみに設けられて第１突出部および第２突出部により案内溝５１のほぼ全体が覆われる。このように、案内部５では、第１突出部および第２突出部がリード線群４と共に案内溝５１の少なくとも一部を第１側部５１１から第２側部５１２まで（すなわち、案内溝５１の両側部の一方から他方まで）ほぼ覆うことにより、リード線群４が第１ハウジング２３の外側面２３４上に固定可能とされる。
【００７３】
上記実施の形態では、第１突出部と第２突出部との間や突出部と案内溝の側部との間に形成される間隙、換言すれば、第１突出部および第２突出部により案内溝が覆われる領域を案内溝に沿って縦断する間隙は、図６、図１０、図１１等に示したものには限定されず、当該領域において様々な方向に伸びる部位が組み合わされたものとされてよい。好ましくは、間隙の最小幅（第１突出部と第２突出部との間の最短距離）がリード線群４の最大直径の８０％以上１００％未満の範囲とされる。また、上記第２および第３の実施の形態では間隙５４１ａ，５４１ｂの最小幅がリード線の直径よりも大きくされるが、リード線の直径（リード線の直径が異なる場合にはリード線群４の最大直径）の８０％以上１００％未満とされてもよい。
【００７４】
上記実施の形態では、第２リード線４２が第２ハウジング３３の上端部３３１から導き出されるが、第２ハウジング３３の下端部３３２から導き出されてもよく、この場合であっても、案内部５により第２リード線４２が第１リード線４１と共に第１ハウジング２３の外側面２３４上にて案内可能とされる。
【００７５】
上記実施の形態では、リード線の数は２以上であれば他の数であってもよい。案内部５は３以上の軸流ファンを直列に接続する直列式軸流ファンに設けられてもよく、好ましくは、直列式軸流ファンのリード線群４の引出側の端部に位置する軸流ファンに設けられる。上記実施の形態では、直列式軸流ファン１の第１インペラ２１の回転方向と第２インペラ３１の回転方向とが同じとされてもよい。
【図面の簡単な説明】
【００７６】
【図１】第１の実施の形態に係る直列式軸流ファンを示す斜視図である。
【図２】第１の実施の形態に係る直列式軸流ファンの断面図である。
【図３】第１軸流ファンの底面図である。
【図４】第２軸流ファンの平面図である。
【図５】第１軸流ファンの斜視図である。
【図６】案内部を拡大して示す図である。
【図７】直列式軸流ファンの斜視図である。
【図８】第１突出部および第２突出部の他の例を示す図である。
【図９】第１突出部および第２突出部のさらに他の例を示す図である。
【図１０】第２の実施の形態に係る直列式軸流ファンの案内部を拡大して示す図である。
【図１１】第３の実施の形態に係る直列式軸流ファンの案内部を拡大して示す図である。
【図１２】第４の実施の形態に係る軸流ファンの底面図である。
【図１３】第４の実施の形態に係る軸流ファンの側面図である。
【図１４】軸流ファンの案内部を拡大して示す図である。
【符号の説明】
【００７７】
１    直列式軸流ファン
１ａ    軸流ファン
２    第１軸流ファン
３    第２軸流ファン
４    リード線群
５，５ａ    案内部
２１    第１インペラ
２２    第１モータ部
２３    第１ハウジング
３１    第２インペラ
３２    第２モータ部
３３    第２ハウジング
４１    第１リード線
４２    第２リード線
５１，５１ａ    案内溝
５５    リード線導出口
２１１    第１翼
２３１    （第１ハウジングの）上端部
２３２    （第１ハウジングの）下端部
２３３，２３３ａ    （第１ハウジングの）角部
２３４    （第１ハウジングの）外側面
２３４ａ    （ハウジングの）外側面
３１１    第２翼
３３１    （第２ハウジングの）上端部
３３３，３３３ａ    （第２ハウジングの）角部
５１１    第１側部
５１２    第２側部
５２１，５２１ａ〜５２１ｃ    第１突出部
５２２，５２２ａ〜５２２ｃ    第２突出部
５４１，５４１ａ〜５４１ｃ    間隙
５２１１    （第１突出部の）先端
５２２１    （第２突出部の）先端
Ｊ１    中心軸
【図１】
2010019183.tif 000003
【図２】
2010019183.tif 000004
【図３】
2010019183.tif 000005
【図４】
2010019183.tif 000006
【図５】
2010019183.tif 000007
【図６】
2010019183.tif 000008
【図７】
2010019183.tif 000009
【図８】
2010019183.tif 000010
【図９】
2010019183.tif 000011
【図１０】
2010019183.tif 000012
【図１１】
2010019183.tif 000013
【図１２】
2010019183.tif 000014
【図１３】
2010019183.tif 000015
【図１４】
2010019183.tif 000016